(57)【要約】【課題】複数種の帳票等に使用できるバインダ用紙を提供すること目的とする。【解決手段】バインダ用紙１の長手方向のほぼ中央部に短辺７とほぼ平行なミシン目２が形成されており、このミシン目２から切り離すと、Ａ５サイズのバインダ用紙２枚に分離できるようになっている。そして、綴じ代部３には、ミシン目２よりも上側の上半分に２つの長孔５が開けられており、下半分にも同様に２つの長孔５が開けられている。これらの長孔５は、第１綴じ孔部５Ａと、第２綴じ孔部５Ｂとを繋げた形状となっている。綴じ代部３の上半分の第１綴じ孔部５Ａは、綴じ代部３の下半分の第１綴じ孔部５Ａとミシン目２を対称軸として線対称の関係となっている。他方、第２綴じ孔部５Ｂは、ミシン目２と短辺７との中央を仮想対称軸１０Ｆとして線対称の位置になるように配されている。【選択図】  図２
2004291316.tif 000002
【特許請求の範囲】
【請求項１】
一長辺の縁部にバインダへの綴じ代部を備えるバインダ用紙において、
前記バインダ用紙の長手方向のほぼ中央部に短辺とほぼ平行なミシン目が形成され、
ミシン目により区画された前記綴じ代部の領域には、それぞれ前記バインダ用紙の長手方向に沿って延びる２つの長孔が形成されており、かつ、これらの長孔は、２つの第１綴じ孔部と第２綴じ孔部とを相互に繋げた形状をしているとともに、
第１綴じ孔部は、前記バインダ用紙を前記ミシン目により切り離さない状態でバインダに綴じるための孔部であり、
第２綴じ孔部は、前記バインダ用紙を前記ミシン目により切り離した状態でバインダに綴じるための孔部であることを特徴とするバインダ用紙。
【請求項２】
前記第１綴じ孔部は、前記ミシン目を軸として対称となるように配され、
かつ、前記第２綴じ孔部は、前記ミシン目と短辺とのほぼ中央を仮想軸として対称となるように配されていることを特徴とする請求項１に記載のバインダ用紙。
【請求項３】
前記長孔の短径は、４．０〜４．５ｍｍであることを特徴とする請求項１又は２に記載のバインダ用紙。
【発明の詳細な説明】
【０００１】
【発明の属する技術分野】
本発明は、バインダ用紙に関する。
【０００２】
【従来の技術】
伝票や元帳等の帳票は、プリンタによって専用用紙に印刷される場合があるが（例えば、特許文献１参照）、帳票の種類毎に専用用紙を使用すると、専用用紙の管理や、プリンタにおける用紙の切替等が煩雑となる。
【０００３】
よって、伝票、及び元帳等を同一の用紙から得ることが望まれている。例えば、Ａ４サイズの用紙を使用し、Ａ４サイズの用紙の中央部にミシン目を入れ、このＡ４サイズ用紙から２枚のＡ５サイズを得ることができるような用紙を使用すれば、伝票を印刷後、ミシン目を切ることによってＡ５サイズの２枚の伝票を得ることができ、他方、Ａ４サイズの用紙に元帳を印刷すればＡ４サイズの元帳を得ることができるようにも思われる。
【０００４】
【特許文献１】
登録実用新案第３０６３２５０号公報（第１図）
【０００５】
【発明が解決しようとする課題】
しかしながら、伝票専用の２穴バインダ用の綴じ孔と、元帳専用の４穴バインダ用の綴じ孔とは、ずれた位置関係にあるため、元帳、伝票のいずれにも使用可能な用紙を提供することは困難であった。
本発明は上記のような事情に基づいて完成されたものであって、複数種の帳票等に使用できるバインダ用紙を提供すること目的とする。
【０００６】
【課題を解決するための手段】
上記の目的を達成するための手段として、請求項１の発明は一長辺の縁部にバインダへの綴じ代部を備えるバインダ用紙において、前記バインダ用紙の長手方向のほぼ中央部に短辺とほぼ平行なミシン目が形成され、ミシン目により区画された前記綴じ代部の領域には、それぞれ前記バインダ用紙の長手方向に沿って延びる２つの長孔が形成されており、かつ、これらの長孔は、２つの第１綴じ孔部と第２綴じ孔部とを相互に繋げた形状をしているとともに、第１綴じ孔部は、前記バインダ用紙を前記ミシン目により切り離さない状態でバインダに綴じるための孔部であり、第２綴じ孔部は、前記バインダ用紙を前記ミシン目により切り離した状態でバインダに綴じるための孔部であることを特徴とするバインダ用紙である。
【０００７】
請求項２の発明は、請求項１に記載のものにおいて、前記第１綴じ孔部は、前記ミシン目を軸として対称となるように配され、かつ、前記第２綴じ孔部は、前記ミシン目と短辺とのほぼ中央を仮想軸として対称となるように配されていることを特徴とする。
【０００８】
請求項３の発明は、請求項１又は２に記載の用紙において、前記長孔の短径は、４．０〜４．５ｍｍであることを特徴とする。
【０００９】
【発明の作用及び効果】
＜請求項１の発明＞
本請求項のバインダ用紙によれば、バインダ用紙をミシン目によって切り離さずにそのまま使用する場合には、第１綴じ孔部により汎用（市販）バインダに綴じることができる。
ミシン目により切り離した状態でバインダに綴じる場合には、第２綴じ孔部により汎用（市販）バインダに綴じることができる。
【００１０】
さらに、本請求項のバインダ用紙では、第１綴じ孔部と第２綴じ孔部とを繋げた長孔としているから、第１綴じ孔部と第２綴じ孔部とを繋げずに独立した孔とした場合と比べて以下の顕著な効果を奏する。
第１綴じ孔部と第２綴じ孔部とを独立した綴じ孔として備えるバインダ用紙においては、汎用（市販）バインダに綴じる際に綴じ孔を誤るおそれがある。例えば、元帳に使用しようとする場合、本来第１綴じ孔部に金具等を入れる必要があるのだが、誤って第２綴じ孔部に金具を入れてしまう場合がある。この場合には、用紙をバインダから一旦抜いて、改めて第１綴じ孔部に綴じ込み金具を入れる必要があり、煩雑である。
一方、本請求項のバインダ用紙によれば、第１綴じ孔部と第２綴じ孔部とを繋げて長孔としているから、例えば、元帳のようにＡ４サイズでそのまま使用する場合にも、例えば、伝票のようにＡ５サイズで使用する場合にも、バインダに綴じる際には、同じ長孔に綴じ込み金具を入れることとなり綴じ孔部を誤ることはなくなる。
【００１１】
＜請求項２の発明＞
本請求項のバインダ用紙によれば、バインダ用紙をミシン目により切り離さない状態でバインダに綴じるための第１綴じ孔部は、ミシン目（用紙中央）を軸として対称となるように配されている。従って、バインダ用紙をバインダに綴じると、綴じ込み金具は、用紙の中央のミシン目を中心とするようにしてバインダ用紙を保持するようになるから、綴じ込んだバインダ用紙が安定する。
【００１２】
一方、バインダ用紙をミシン目により切り離した状態でバインダに綴じるための第２綴じ孔部は、ミシン目と短辺とのほぼ中央を仮想軸として対称となるように配されている。言い換えれば、バインダ用紙をミシン目により切り離した状態では、第２綴じ孔部は、用紙中央の仮想軸を軸として対称となるように配されている。従って、切り離したバインダ用紙をバインダに綴じると、綴じ込み金具は、用紙の中央の仮想軸を中心とするようにしてバインダ用紙を保持するようになるから、綴じ込んだバインダ用紙が安定する。
【００１３】
＜請求項３の発明＞
通常のバインダ用紙に開けられているバインダ用の綴じ孔は、約５〜６ｍｍ径の円形となっている。長孔を開ける場合、通常の約５〜６ｍｍ径の綴じ孔を２つ繋いだ長孔、すなわち、短径が約５〜６ｍｍの長孔とすると、綴じ孔の面積が通常の約５〜６ｍｍの円形の綴じ孔に比べてかなり大きくなるため、綴じ孔周辺の用紙がガタついて強度が低下する。本発明者等が検討したところ、長孔の短径を４．０〜４．５ｍｍとすると、綴じ孔周辺の強度がそれ程低下することはないことが判明したのである。そこで、本請求項においては、長孔の短径を４．０〜４．５ｍｍとして用紙のガタつきを軽減するとともに強度を十分に保ち、破れにくいバインダ用紙としている。
【００１４】
【発明の実施の形態】
以下、本発明の実施形態について図１ないし図６を参照しつつ説明する。
本実施形態のバインダ用紙１は、例えばＡ４サイズの無地のバインダ用紙であり、バインダ用紙１の長手方向のほぼ中央部に短辺７とほぼ平行なミシン目２が形成されており、このミシン目２から切り離すと、Ａ５サイズのバインダ用紙２枚に分離できるようになっている。
そして、バインダ用紙１の一長辺の縁部には、バインダへの綴じ込み用の綴じ代部３が備えられている。
【００１５】
この綴じ代部３には、ミシン目２よりも上側の上半分に２つの長孔５が開けられており、ミシン目２よりも下側の下半分にも同様に２つの長孔５が開けられている。
これらの長孔５は、図２に示すように、約４．０〜４．５ｍｍ径で円形の２つの孔部、すなわち、第１綴じ孔部５Ａと、第２綴じ孔部５Ｂとを繋げた形状となっている。このように長孔５には、第１綴じ孔部５Ａと、第２綴じ孔部５Ｂがあり、これらの綴じ孔部５Ａ，５Ｂは、それぞれ異なるバインダへ綴じるためのものである。以下の説明では、第１綴じ孔部５Ａと、第２綴じ孔部５Ｂとを区別して説明するが、実際には、長孔５が開けられているのであって、第１綴じ孔部５Ａと、第２綴じ孔部５Ｂとが区別可能には開けられていない。
【００１６】
綴じ代部３の上半分の第１綴じ孔部５Ａ１は、綴じ代部３の下半分の第１綴じ孔部５Ａ４とミシン目２を対称軸として、また、綴じ代部３の上半分の第１綴じ孔部５Ａ２は、綴じ代部３の下半分の第１綴じ孔部５Ａ３とミシン目２を対称軸としてそれぞれ線対称の関係となっている。
【００１７】
言い換えれば、第１綴じ孔部５Ａ１の中心と、第１綴じ孔部５Ａ４の中心とを結ぶ線分の垂直二等分線がミシン目２となるようにされている。同様にして、第１綴じ孔部５Ａ２の中心と、第１綴じ孔部５Ａ３の中心とを結ぶ線分の垂直二等分線がミシン目２となるようにされている。なお、図中Ｌ１〜Ｌ４は線分の長さを示し、同一の符号を付した線分は同一長となっており、本実施形態のバインダ用紙１では、具体的は、Ｌ１＝４０ｍｍ、Ｌ２＝１２０ｍｍ、Ｌ３＝７４．２５ｍｍ、Ｌ４＝４０ｍｍとなっているが、Ｌ１〜Ｌ４はこららの寸法に限定されるものではない。
【００１８】
第１綴じ孔部５Ａは、バインダ用紙１をＡ４サイズのままの状態、例えば図３に示すように元帳として使用する際に、Ａ４サイズ用の４穴のバインダに綴じ込むための孔であり（図４参照）、このバインダに綴じた際にバインダ用紙１を安定させるために、第１綴じ孔部５ＡはＡ４のバインダ用紙１の中央（ミシン目２）に対して対称配置とされている。
【００１９】
他方、綴じ代部３の上半分の第２綴じ孔部５Ｂ１，５Ｂ２は、ミシン目２と短辺７との中央を仮想対称軸１０Ｆとして線対称の位置になるように配されている。同様にして綴じ代部３の下半分の第２綴じ孔部５Ｂ３，５Ｂ４は、ミシン目２と短辺７との中央を仮想対称軸１０Ｆとして線対称の位置になるように配されている。
【００２０】
言い換えれば、第２綴じ孔部５Ｂ１の中心と、第２綴じ孔部５Ｂ２の中心とを結ぶ線分の垂直二等分線が、仮想対称軸１０Ｆとなるようにされている。同様にして、第２綴じ孔部５Ｂ３の中心と、第２綴じ孔部５Ｂ４の中心とを結ぶ線分の垂直二等分線が、仮想対称軸１０Ｆとなるようにされている。
【００２１】
第２綴じ孔部５Ｂは、Ａ４サイズのバインダ用紙１をミシン目２から切り離し、Ａ５サイズのバインダ用紙２枚に分離して、例えば図５に示すように伝票として使用する際に、Ａ５サイズ用の２穴のバインダに綴じ込むためのものであり（図６参照）、このバインダに綴じた際にＡ５サイズのバインダ用紙を安定させるために、第２綴じ孔部５Ｂは、Ａ５サイズのバインダ用紙の中央（仮想対称軸１０Ｆ）に対称配置とされている。
【００２２】
さて、次に本実施形態のバインダ用紙１の作用効果について説明する。
本実施形態のバインダ用紙１によれば、バインダ用紙１の長孔５には、第１綴じ孔部５Ａがあるから、このバインダ用紙１をＡ４サイズのままの状態、例えば元帳として使用する際には、Ａ４サイズ用の２穴もしくは４穴のバインダに綴じ込むことができる。
【００２３】
他方、バインダ用紙１の長孔５には、第２綴じ孔部５Ｂがあるから、Ａ４サイズのバインダ用紙１をミシン目から切り離し、Ａ５サイズのバインダ用紙２枚に分離して、例えば伝票として使用する際には、Ａ５サイズ用の２穴のバインダに綴じ込むことができる。従って、本実施形態のバインダ用紙１は、複数種の帳票等に使用できる。
【００２４】
また、本実施形態のバインダ用紙１では、長孔５の短径、すなわち、第１綴じ孔部５Ａと、第２綴じ孔部５Ｂの径を４．０〜４．５ｍｍとし、通常のバインダ用紙に開けられているバインダ用の綴じ孔（約５〜６ｍｍ径）より小さくしたから、用紙１のガタつきを軽減し、強度を十分に保つことができる。
【００２５】
また、長孔５の面積は、通常（約５〜６ｍｍ径）の円形の孔よりは大きいから、長孔５にバインダの綴じ込み金具を入れやすい。
【００２６】
さらに、本実施形態のバインダ用紙１では、第１綴じ孔部５Ａと第２綴じ孔部５Ｂとを繋げて長孔５としているから、繋げずに独立した孔とした場合と比べて以下の顕著な効果を奏する。
第１綴じ孔部５Ａと第２綴じ孔部５Ｂとを独立した綴じ孔として備えるバインダ用紙１においては、汎用（市販）バインダに綴じる際に綴じ孔を誤るおそれがある。例えば、元帳に使用しようとする場合、本来第１綴じ孔部５Ａに金具等を入れる必要があるのだが、誤って第２綴じ孔部５Ｂに金具を入れてしまう場合がある。この場合には、バインダ用紙１をバインダから一旦抜いて、改めて第１綴じ孔部５Ａに綴じ込み金具を入れる必要があり、煩雑である。
【００２７】
一方、本実施形態によれば、第１綴じ孔部５Ａと第２綴じ孔部５Ｂとを繋げて長孔５としているから、例えば、元帳のようにＡ４サイズでそのまま使用する場合にも、例えば、伝票のようにＡ５サイズで使用する場合にも、バインダに綴じる際には、同じ長孔５に綴じ込み金具を入れることとなり綴じ孔部を誤ることはなくなる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２９】
（１）上記実施形態では、Ａ４サイズのバインダ用紙１について説明したが、バインダ用紙１のサイズは特に限定されず、例えば、Ａ３、Ａ５、Ａ６、Ｂ４、Ｂ５等の用紙であってもよい。
【００３０】
（２）上記実施形態では、伝票及び元帳の両用途に使用可能なバインダ用紙１について説明したが、バインダ用紙１の用途は、特に限定されない。例えば、納品書、請求書、支払い明細書等の用途であってもよい。
【００３１】
（３）上記実施形態では、無地のバインダ用紙１としたが、用紙に模様等が予め印刷されているものであってもよい。
【図面の簡単な説明】
【図１】本発明の一実施形態に係るバインダ用紙の平面図である。
【図２】バインダ用紙の一部拡大平面図である。
【図３】バインダ用紙に元帳を印刷した状態を示す平面図である。
【図４】元帳として使用したバインダ用紙を汎用バインダに綴じた状態の斜視図である。
【図５】バインダ用紙に伝票を印刷した状態を示す平面図である。
【図６】伝票として使用したバインダ用紙を汎用バインダに綴じた状態の斜視図である。
【符号の説明】
１…バインダ用紙
２…ミシン目
３…綴じ代部
５…長孔
５Ａ…第１綴じ孔部
５Ｂ…第２綴じ孔部
１０Ｆ…仮想対称軸
【図１】
2004291316.tif 000003
【図２】
2004291316.tif 000004
【図３】
2004291316.tif 000005
【図４】
2004291316.tif 000006
【図５】
2004291316.tif 000007
【図６】
2004291316.tif 000008